(57)【要約】【課題】騒音と振動を減らすシュレッダーを提供する。【解決手段】基座と、シュレッダー構造及び細かく刻みたい資料を挿入するための喉部を有する外筐と、からなるシュレッダーであって、前記シュレッダー構造は回転式切削機装備及びモータ装備を含み、且つ該モータ装備は少なくとも一個の被膜ギアを含むことを特徴とする。また、前記被膜ギアは、シリコンゴムで披覆することを特徴とする、あるいは、前記被膜ギアは、ポリウレタン及びテフロン（登録商標）で披覆することを特徴とする。【選択図】図６
0003143503.tif 000002
【実用新案登録請求の範囲】
【請求項１】
基座と、シュレッダー構造及び細かく刻みたい資料を挿入するための喉部を有する外筐と、からなるシュレッダーであって、
前記シュレッダー構造は回転式切削機装備及びモータ装備を含み、且つ該モータ装備は少なくとも一個の被膜ギアを含むことを特徴とするシュレッダー。
【請求項２】
前記被膜ギアは、シリコンゴムで披覆することを特徴とする請求項１記載のシュレッダー。
【請求項３】
前記被膜ギアは、ポリウレタン及びテフロン（登録商標）で披覆することを特徴とする請求項１記載のシュレッダー。
【請求項４】
基座と、シュレッダー構造及び細かく刻みたい資料を挿入するための喉部を有する外筐と、からなるシュレッダーであって、
前記シュレッダー構造は回転式切削機装備及びモータ装備を含み、且つ該モータ装備は少なくとも一本の被膜ベルトを含むことを特徴とするシュレッダー。
【請求項５】
前記被膜ベルトは、ゴムで披覆することを特徴とする請求項４記載のシュレッダー。
【請求項６】
前記被膜ベルトは、シリコンゴムで披覆することを特徴とする請求項４記載のシュレッダー。
【請求項７】
基座と、シュレッダー構造及び細かく刻みたい資料を挿入するための喉部を有する外筐と、からなるシュレッダーであって、
前記シュレッダー構造は回転式切削機装備及びモータ装備を含み、且つ該モータ装備は少なくとも一本の被膜ベルト及び一個の被膜ギアを含むことを特徴とするシュレッダー。
【請求項８】
前記回転式切削機装備は、少なくとも一個の振動抑止器を使用して該シュレッダーの外筐に接合することを特徴とする請求項７記載のシュレッダー。
【請求項９】
前記モータ装備は、少なくとも一個の振動抑止器を使用して該シュレッダーの外筐に接合することを特徴とする請求項７記載のシュレッダー。
【請求項１０】
前記振動抑止器は、ゴムもしくはシリコンゴムで製作することを特徴とする請求項８もしくは９記載のシュレッダー。
【請求項１１】
前記振動抑止器は、Ｕ形で、且つ該外筐上の部品と接合することを特徴とする請求項８記載のシュレッダー。
【請求項１２】
前記振動抑止器は、Ｕ形で、且つ該外筐上の部品と接合することを特徴とする請求項９記載のシュレッダー。
【考案の詳細な説明】
【技術分野】
【０００１】
本考案は、シュレッダーに関するもので、特にシュレッダーの騒音を減らすモータと部品に係る。
【背景技術】
【０００２】
社会に於いて、プライバシー保護が日増しに重視されるようになり、シュレッダーは既に一般家庭や企業に於いてなくてはならないものになっている。しかもシュレッダーの用途は、紙製品を細かくすることであったが、現在ではその他形式の情報保存媒体、例としてレーザディスクにも用いられる。この他、必要のなくなったクレジットカード及びその他プラスチック製品も通常細かく刻む。
【特許文献１】特開２００２−１８３０２号公報
【考案の開示】
【考案が解決しようとする課題】
【０００３】
公知のシュレッダーは、相当大きな音を発生させる。それはシュレッダー構造にギアによって駆動するモータを含むためであり、またそのギアは鋼鉄材で作られている。ギアが鋼鉄材で作られているため、ギア上の凸歯が相互に噛み合った時、振動と騒音が発生するのである。この他、シュレッダーのモータ装備と回転式切削機装備はすべて直接シュレッダーの外筐上に設置するため、ギアが発した震動と騒音が直接シュレッダーの外筐へ伝わる点である。
【０００４】
前述の説明からも分かるとおり、公知使用のシュレッダー装置は諸々の欠点及び/もしくは制限がある。このため、本考案に関連する領域の重要技術面には改善の必要がある箇所が多く存在する。
そのため、上述公知技術の欠点に対して、本考案ではモータと部品の騒音を下げるシュレッダーを提出して公知技術の欠点を改善する。
【課題を解決するための手段】
【０００５】
本考案は、特にモータと部品の騒音を減らすもので、減震材の被覆により、騒音を減らすシュレッダーモータギアとベルトを提示する。この他、本考案ではモータ装備とシュレッダーの外筐間及び回転式切削機装備とシュレッダーの外筐間に振動抑止器を配置することにより、更に騒音を減らし、大量生産にも適することを最も主要な特徴とする。
本考案のシュレッダーは下記の特徴を有する。
１．基座と、シュレッダー構造及び細かく刻みたい資料を挿入するための喉部を有する外筐と、からなるシュレッダーであって、前記シュレッダー構造は回転式切削機装備及びモータ装備を含み、且つ該モータ装備は少なくとも一個の被膜ギアを含むことを特徴とする。
２．前記被膜ギアは、シリコンゴムで披覆することを特徴とする。
３．前記被膜ギアは、ポリウレタン及びテフロン（登録商標）で披覆することを特徴とする。
４．基座と、シュレッダー構造及び細かく刻みたい資料を挿入するための喉部を有する外筐と、からなるシュレッダーであって、前記シュレッダー構造は回転式切削機装備及びモータ装備を含み、且つ該モータ装備は少なくとも一本の被膜ベルトを含むことを特徴とする。
５．前記被膜ベルトは、ゴムで披覆することを特徴とする。
６．前記被膜ベルトは、シリコンゴムで披覆することを特徴とする。
７．基座と、シュレッダー構造及び細かく刻みたい資料を挿入するための喉部を有する外筐と、からなるシュレッダーであって、前記シュレッダー構造は回転式切削機装備及びモータ装備を含み、且つ該モータ装備は少なくとも一本の被膜ベルト及び一個の被膜ギアを含むことを特徴とする。
８．前記回転式切削機装備は、少なくとも一個の振動抑止器を使用して該シュレッダーの外筐に接合することを特徴とする。
９．前記モータ装備は、少なくとも一個の振動抑止器を使用して該シュレッダーの外筐に接合することを特徴とする。
１０．前記振動抑止器は、ゴムもしくはシリコンゴムで製作することを特徴とする。
１１．前記振動抑止器は、Ｕ形で、且つ該外筐上の部品と接合することを特徴とする。
１２．前記振動抑止器は、Ｕ形で、且つ該外筐上の部品と接合することを特徴とする。
【考案の効果】
【０００６】
本考案のシュレッダーは、騒音と振動を減らすという利点がある。
【考案を実施するための最良の形態】
【０００７】
モータと部品の騒音を低減するシュレッダーを提供し、現在の騒音低減に対する求めに応じる。本考案の良好な実施例として、ゴムもしくは類似物質を鋼材で製作した一般のギアに被覆する。ゴムで被覆したギアは鋼材が相互に接触することによって発生する騒音とシュレッダー内で反響するエコーを防止する。この他、本考案ではゴムもしくは類似物質で被覆したベルトを使用し、ギアを直接相互に合わせない。そのため、更に騒音と振動を抑止する。最後に本考案では振動抑止器でモータ装備及び回転式切削機装備をシュレッダーの外筐に接合することにより、モータから発する震動と騒音を下げることを本考案の主な目的とする。
【０００８】
具体的な実施例を図式と共に詳細に説明し、本考案の目的、技術内容、特徴及びその効果を理解しやすくする。
【０００９】
本考案のその他特徴及び長所、その効果を明らかにするため、本考案を図示と共に下述に説明する。
シュレッダーの主な部品は、基座(図示しない)、外筐１、及び外筐内に設置したシュレッダー構造３を含む。外筐１は喉部２を含み、細かく刻みたい資料を、喉部２からシュレッダーの外筐１へ入れる。資料はシュレッダー構造３内で細かく刻まれる。シュレッダー構造３は回転式切削機装備４及びモータ装備５を含む。
【００１０】
通常モータ装備５の各ギア６は、焼き入れ金属、例として焼き入れ鋼で製造する。図１及び図２に示す公知技術では各ギア６は多数凸歯７を具える。凸歯７は互いに接合し、回転動力を回転式切削機装備４へ伝える。この他、モータ装備５直接シュレッダーの外筐１上に接合する。
【００１１】
本考案の実施例に於いて、モータ装備５は、少なくとも１つの被膜ギアを含む。図３及び図４では被膜ギア６を表示する。ギアはシリコンゴム(silicone rubber)もしくはポリウレタン(polyurethane)及びテフロン(登録商標、Teflon)で被覆する。ギアを被覆して、そのギアの凸歯とその他凸歯、もしくはベルトと接触した時、消音及び振動減少作用が発生する。
【００１２】
更に騒音を減らすため、本考案のモータ装備５に於いて、各ギアは直接相互接触せず、ベルトで各ギアを連接する。図５に示すのは被膜ベルト８で二個のギア６を連接したものである。ベルトはゴム、もしくはシリコンゴムで被覆する。
【００１３】
最後に図６及び図７に示すとおり、本考案では使用多数の振動抑止器９を使用し、モータ装備５及び/もしくは回転式切削機装備４を外筐１に接合する。振動抑止器９はゴムもしくはシリコンゴムで模ったU形がよい。振動抑止器９はモータ装備５もしくは回転式切削機装備４から伸びた突出部１０に固定する。振動抑止器でモータ装備を外筐に設置すると、モータ装備もしくは回転式切削機装備が外筐に接合して伝わる騒音と震動を吸収し、騒音を更に下げる。
【００１４】
以上の詳細説明は、複数の良好な実施方式で説明したものであるが、本考案はその他の実施形式を採用しても良い。前述の実施方式は、請求の範囲に制限を加えない。
【００１５】
上述に示すとおり、本考案は公知の技術構造を改善し、効果を高め、且つこの技術分野でないものは思い至らないものであり、更に本考案は申請公開されておらず、進歩性、実用性を備えるため本考案の申請要件に符合する。
【００１６】
以上述べた実施例は、本考案の技術思想及び特徴を説明しただけであり、その目的は習熟者が本考案の内容を見て実施できるようにするためであり、本考案の申請範囲を限定するものではない。依って本考案に示す精神に基づく変化もしくは修飾は、すべて本考案の請求範囲に属する。
【図面の簡単な説明】
【００１７】
【図１】公知のシュレッダーの外筐及びシュレッダー構造の俯瞰図である。
【図２】公知のシュレッダーの外筐及びシュレッダー構造の側面断面図である。
【図３】本考案のギアの側面図である。
【図４】本考案のギア凸歯の分解側面図である。
【図５】本考案のベルトとギアの側面図である。
【図６】本考案のシュレッダーの外筐及びシュレッダー構造之俯瞰図である。
【図７】本考案のシュレッダーの外筐及びシュレッダー構造の側面断面図である。
【符号の説明】
【００１８】
１        外筐
２        喉部
３        シュレッダー構造
４        回転式切削機装備
５        モータ装備
６        ギア
７        凸歯
８        ベルト
９        振動抑止器
１０        突出部
【図１】
0003143503.tif 000003
【図２】
0003143503.tif 000004
【図３】
0003143503.tif 000005
【図４】
0003143503.tif 000006
【図５】
0003143503.tif 000007
【図６】
0003143503.tif 000008
【図７】
0003143503.tif 000009